(57)【要約】【課題】  耐食性が向上され漏洩磁束を減少すると共に、相手配管の材質の影響を低減出来る安価なウエハー形電磁流量計を実現する。【解決手段】  ミニフランジを有するウエハー形電磁流量計において、  前記ミニフランジの平面に平行に前記フランジ部分に設けられ励磁コイルからの測定流体の流れ方向の磁束の漏洩を遮断する磁性材よりなる遮断プレートを具備したことを特徴とするウエハー形電磁流量計である。【選択図】                    図１
2005172645.tif 000002
【特許請求の範囲】
【請求項１】
ミニフランジを有するウエハー形電磁流量計において、
前記ミニフランジの平面に平行に前記フランジ部分に設けられ励磁コイルからの測定流体の流れ方向の磁束の漏洩を遮断する磁性材よりなる遮断プレート
を具備したことを特徴とするウエハー形電磁流量計。
【請求項２】
前記遮断プレートは、ミニフランジの励磁コイル側の平面に設けられたこと
を特徴とする請求項１記載のウエハー形電磁流量計。
【請求項３】
前記測定管とミニフランジとが最初から一体に形成されたこと
を特徴とする請求項１又は請求項２記載のウエハー形電磁流量計。
【請求項４】
前記測定管とミニフランジとがステンレス鋳物で形成されたこと
を特徴とする請求項３記載のウエハー形電磁流量計。
【請求項５】
前記遮断プレートは、ミニフランジの励磁コイル側と反対側の平面に設けられたこと
を特徴とする請求項１記載のウエハー形電磁流量計。
【請求項６】
前記遮断プレートは、珪素鋼板材からなること
を特徴とする請求項１乃至請求項４の何れかに記載のウエハー形電磁流量計。
【請求項７】
前記遮断プレートは、２個の半月形状のプレートからなること
を特徴とする請求項１乃至請求項６の何れかに記載のウエハー形電磁流量計。
【発明の詳細な説明】
【技術分野】
【０００１】
本発明は、耐食性が向上され漏洩磁束を減少すると共に、相手配管の材質の影響を低減出来る安価なウエハー形電磁流量計に関するものである。
【背景技術】
【０００２】
ウエハー形電磁流量計に関連する先行技術文献としては次のようなものがある。
【０００３】
【特許文献１】特開２００２−４８６１２号（第２頁、図１５）
【０００４】
図６は、従来より一般に使用されている従来例の構成説明図で、例えば、特開２００２−４８６１２号に示されている。
図において、１はセラミックの測定管である。
２は、測定管１の内面に設けられた絶縁材からなるライニング体である。
【０００５】
３は、ライニング体２を測定管１に係止する係止板である。
４は励磁コイル、５は測定電極である。
６は配管に接続されるミニフランジである。
そして、測定管１は非磁性材、ミニフランジ６は磁性材が使用されている。
【０００６】
図７は、従来より一般に使用されている他の従来例の構成説明図である。
本従来例では、測定管１とミニフランジ６とが最初から一体となっており、非磁性材が使用されている。
【発明の開示】
【発明が解決しようとする課題】
【０００７】
図６従来例では、測定管１が非磁性材、ミニフランジ６が磁性材となり、異種材料を使用しており鋳物等の一体ものでは製造が困難であった。
また、ミニフランジ６が磁性材であるので、耐食性に問題があった。
【０００８】
図７従来例では端部に磁性材がないため、耐食性は向上するが、流れ方向に磁場が漏洩してしまい、相手配管の材質の影響を受けてしまうため、面間を長くしなければならなかった。
ウエハー形電磁流量計では、面間距離がどうしても短くなり、フランジ型電磁流量計に比べて、測定流体の流れ方向の漏洩磁束が問題となり、相手配管の材質の影響を受け易くなるからである。
【０００９】
本発明の目的は、上記の課題を解決するもので、簡潔な構成により、耐食性が向上され漏洩磁束を減少すると共に、相手配管の材質の影響を低減出来る安価なウエハー形電磁流量計を提供することを目的とする。
【課題を解決するための手段】
【００１０】
このような課題を達成するために、本発明では、請求項１のウエハー形電磁流量計においては、
ミニフランジを有するウエハー形電磁流量計において、
前記ミニフランジの平面に平行に前記フランジ部分に設けられ励磁コイルからの測定流体の流れ方向の磁束の漏洩を遮断する磁性材よりなる遮断プレートを具備したことを特徴とする。
【００１１】
本発明の請求項２においては、請求項１記載のウエハー形電磁流量計において、
前記遮断プレートは、ミニフランジの励磁コイル側の平面に設けられたことを特徴とする。
【００１２】
本発明の請求項３においては、請求項１又は請求項２記載のウエハー形電磁流量計において、
前記測定管とミニフランジとが最初から一体に形成されたことを特徴とする。
【００１３】
本発明の請求項４においては、請求項３記載のウエハー形電磁流量計において、
前記測定管とミニフランジとがステンレス鋳物で形成されたことを特徴とする。
【００１４】
本発明の請求項５においては、請求項１記載のウエハー形電磁流量計において、
前記遮断プレートは、ミニフランジの励磁コイル側と反対側の平面に設けられたことを特徴とする。
【００１５】
本発明の請求項６においては、請求項１乃至請求項４の何れかに記載のウエハー形電磁流量計において、
前記遮断プレートは、珪素鋼板材からなることを特徴とする。
【００１６】
本発明の請求項７においては、請求項１乃至請求項６の何れかに記載のウエハー形電磁流量計において、
前記遮断プレートは、２個の半月形状のプレートからなることを特徴とする。
【発明の効果】
【００１７】
本発明の請求項１によれば、次のような効果がある。
磁性材の遮断プレートが挿入されたので、耐食性は向上され且つ測定流体の流れ方向への磁束の漏れを少なくできるウエハー形電磁流量計が得られる。
これにより、相手配管材質の影響も低減が可能であるウエハー形電磁流量計が得られる。
また、ミニフランジを非磁性の耐食性の良い材料が使用できるウエハー形電磁流量計が得られる。
【００１８】
本発明の請求項２によれば、次のような効果がある。
励磁コイル側に遮断プレートが近ずけられるので、より効率的に測定流体の流れ方向への磁束の漏れを少なく出来、相手配管材質の影響も低減出来るウエハー形電磁流量計が得られる。
【００１９】
本発明の請求項３によれば、次のような効果がある。
前記測定管とミニフランジとが最初から一体に形成されたので、溶接等の工程がなくなるためコスト低減が可能となるウエハー形電磁流量計が得られる。
【００２０】
本発明の請求項４によれば、次のような効果がある。
測定管とミニフランジとがステンレス鋳物で形成されているので、測定管とミニフランジとが最初から一体に形成されたので、溶接等の工程がなくなるためコスト低減が可能となるウエハー形電磁流量計が得られる。
【００２１】
測定管とミニフランジとがステンレス鋳物で形成されているので、安価なウエハー形電磁流量計が得られる。
【００２２】
本発明の請求項５によれば、次のような効果がある。
遮断プレートは、ミニフランジの励磁コイル側と反対側の平面に設けられたので、遮断プレートがライニング体の係止の機能も兼ねることが可能となるウエハー形電磁流量計が得られる。
【００２３】
本発明の請求項６によれば、次のような効果がある。
遮断プレートは、珪素鋼板材からなるので、珪素鋼板材は磁束の遮断効果が大きく、安価なので、漏洩磁束を効率良く減少出来ると共に、相手配管の材質の影響を低減出来る安価なウエハー形電磁流量計が得られる。
【００２４】
本発明の請求項７によれば、次のような効果がある。
遮断プレートは、２個の半月形状のプレートからなるので、測定管に組立て易く、また保守もし易く、安価なウエハー形電磁流量計が得られる。
【発明を実施するための最良の形態】
【００２５】
以下本発明を図面を用いて詳細に説明する。
図１は本発明の一実施例の要部構成説明図である。
遮断プレート１１は、ミニフランジ６の平面に平行に、フランジ部分に設けられ励磁コイル４からの測定流体の流れ方向の磁束の漏洩を遮断する磁性材よりなる。
この場合は、遮断プレート１１は、ミニフランジ６の励磁コイル４側の平面に設けられている。
また、遮断プレート１１は、珪素鋼板材からなる。
また、図２に示す如く、遮断プレート１１は、２個の半月形状のプレート１１１からなる。
【００２６】
この結果、
磁性材の遮断プレート１１が挿入されたので、耐食性は向上され且つ測定流体ＦＬの流れ方向への磁束の漏れを少なくできるウエハー形電磁流量計が得られる。
これにより、相手配管材質の影響も低減が可能であるウエハー形電磁流量計が得られる。
また、ミニフランジを非磁性の耐食性の良い材料が使用できるウエハー形電磁流量計が得られる。
【００２７】
励磁コイル６側に遮断プレート１１が近ずけられるので、より効率的に測定流体ＦＬの流れ方向への磁束の漏れを少なく出来、相手配管材質の影響も低減出来るウエハー形電磁流量計が得られる。
【００２８】
遮断プレート１１は、珪素鋼板材からなるので、珪素鋼板材は磁束の遮断効果が大きく、安価なので、漏洩磁束を効率良く減少出来ると共に、相手配管の材質の影響を低減出来る安価なウエハー形電磁流量計が得られる。
【００２９】
遮断プレート１１は、２個の半月形状のプレートからなるので、測定管１に組立て易く、また保守もし易く、安価なウエハー形電磁流量計が得られる。
また、ミニフランジ６を非磁性の耐食性の良い材料が使用できるウエハー形電磁流量計が得られる。
励磁コイル４側に遮断プレート１１が近ずけられるので、より効率的に測定流体の流れ方向への磁束の漏れを少なく出来、相手配管材質の影響も低減出来るウエハー形電磁流量計が得られる。
【００３０】
図４は本発明の他の実施例の要部構成説明図である。
本実施例においては、測定管１とミニフランジ６とが最初から一体に形成されたている。
この場合は、測定管１とミニフランジ６とがステンレス鋳物で形成されている。
【００３１】
この結果、
測定管１とミニフランジ６とが最初から一体に形成されたので、溶接等の工程がなくなるためコスト低減が可能となるウエハー形電磁流量計が得られる。
測定管１とミニフランジ６とがステンレス鋳物で形成されているので、安価なウエハー形電磁流量計が得られる。
【００３２】
図５は本発明の他の実施例の要部構成説明図である。
本実施例においては、遮断プレート２１は、ミニフランジ６の励磁コイル４側と反対側の平面に設けられている。
【００３３】
この結果、遮断プレート２１は、ミニフランジ６の励磁コイル側と反対側の平面に設けられたので、遮断プレート２１がライニング体２の係止の機能も兼ねることが可能となるウエハー形電磁流量計が得られる。
【図面の簡単な説明】
【００３４】
【図１】本発明の一実施例の要部構成説明図である。
【図２】図１のＡ−Ａ矢視図である。
【図３】図１の動作説明図である。
【図４】本発明の他の実施例の要部構成である。
【図５】本発明の他の実施例の要部構成である。
【図６】従来より一般に使用されている従来例の構成説明図である。
【図７】従来より一般に使用されている他の従来例の構成説明図である。
【符号の説明】
【００３５】
１      測定管
２      ライニング体
３      係止板
４      励磁コイル
５      測定電極
６      ミニフランジ
１１    遮断プレート
１１１  プレート
２１    遮断プレート
ＦＬ    測定流体
【図１】
2005172645.tif 000003
【図２】
2005172645.tif 000004
【図３】
2005172645.tif 000005
【図４】
2005172645.tif 000006
【図５】
2005172645.tif 000007
【図６】
2005172645.tif 000008
【図７】
2005172645.tif 000009